(57)【要約】【課題】熱交換の効率を増大でき、除霜作業の時間を短縮でき、電気的エネルギーを節約できる冷媒管を提供する。【解決手段】断面形状が円形を呈する管路１と、上フィン２と、二つのサイドフィン３と、複数の下フィン４が金属材料により一体成形されている。前記上フィン２は、前記管路の仮想垂直軸線の線上に設けられ、前記二つのサイドフィン３と前記複数の下フィン４の上端側に位置し、上方に延びている。前記サイドフィン３は、前記上フィン４を挟むように設けられ、下方に傾斜している。前記下フィン４は、下方に延びている。前記上フィン２と前記二つのサイドフィン３と前記複数の下フィン４の末端は仮想円形の円周上に並んで位置する。この仮想円形の中心は、管路の中心よりも下方に位置する。【選択図】図１
0003170260.tif 000002
【実用新案登録請求の範囲】
【請求項１】
断面形状が円形を呈する管路と、上フィンと、二つのサイドフィンと、複数の下フィンが金属材料により一体成形され、前記管路は冷媒の通路であり、前記上フィン、前記二つのサイドフィンと前記複数の下フィンは間隔をあけて前記管路の周面に設けられ、前記上フィンは、前記管路の仮想垂直軸線の線上に設けられ、前記二つのサイドフィンと前記複数の下フィンとの上端側に位置して上方に延び、前記サイドフィンは、前記管路の壁面に接して設けられ、前記上フィンを挟むように設けられ、下方に傾斜しており、前記下フィンは、前記管路の壁面に接して設けられ、下方に延びる冷媒管において、前記上フィンと前記二つのサイドフィンと前記複数の下フィンとの末端は仮想円形の円周上に並んで位置し、前記仮想円形の中心は、前記管路の仮定垂直軸線上に位置しかつ前記管路の中心の下方に位置し、前記管路の壁面から前記上フィンの末端までの前記上フィンの長さは、前記管路の壁面から前記サイドフィンの末端までの前記サイドフィンの長さ、又は前記管路の壁面から前記下フィンの末端までの前記下フィンの長さよりも短いことを特徴とする冷媒管。
【請求項２】
前記金属材料はアルミニウムであることを特徴とする、請求項１に記載の冷媒管。
【考案の詳細な説明】
【技術分野】
【０００１】
本考案は、冷凍庫又は冷蔵庫に適用され、熱交換の効率を増大し、除霜作業の時間を短縮でき、電気的エネルギーを節約できるようにした冷媒管に関するものである。
【背景技術】
【０００２】
従来の冷媒管としては、例えば本願の出願者から提案した台湾特許Ｍ３３３５４７号「冷媒管組」（特許文献１）が知られている。このような冷媒管組は、図３に示すように、管路１ａと、上フィン２ａと、二つのサイドフィン３ａと、複数の下フィン４ａが金属材料により一体成形されている。管路１ａは冷媒の通路である。上フィン２ａ、二つのサイドフィン３ａと複数の下フィン４ａは間隔をあけて管路１ａの周面に設けられている。上フィン２ａは、管路１ａの壁面に接して設けられ、二つのサイドフィン３ａと複数の下フィン４ａの上端側に位置し、上方に延びている。サイドフィン３ａは、管路１ａの壁面に接して設けられ、上フィン２ａを挟むように設けられ、下方に傾斜している。下フィン４ａは、管路１ａの壁面に接して設けられ、下方に延びている。上フィン２ａと二つのサイドフィン３ａと複数の下フィン４ａの末端は仮想円形１１ａの円周上に並んで位置している。仮想円形１１ａの中心１０ａは管路１ａの中心に位置している。このような冷媒管組は、長期間使用されると、管路１ａ、上フィン２ａ、二つのサイドフィン３ａ及び複数の下フィン４ａが冷凍庫又は冷蔵庫の高湿度で高温な気流と熱交換するため、管路１ａと上フィン２ａと二つのサイドフィン３ａと複数の下フィン４ａの表面に氷５ａが張り付いて熱交換の効率を低下させる原因となる。管路１ａと上フィン２ａと二つのサイドフィン３ａと複数の下フィン４ａの表面に張った氷５ａの厚さが一定以上になると、除霜することが必要になる。上フィン２ａと二つのサイドフィン３ａと複数の下フィン４ａの末端が仮想円形１１ａの円周上に並んで位置し、管路１ａの壁面からフィンの末端までのこれらのフィン２ａ、３ａ、４ａの長さが同じであるため、上フィン２ａ、二つのサイドフィン３ａ及び複数の下フィン４ａの表面の除霜の速度は同じである。そのため、下記のような問題が生じている。
【０００３】
（１）二つのサイドフィン３ａが下方に傾斜しているため、除霜により二つのサイドフィン３ａに張り付いた氷５ａの内部が溶解して中空になり、二つのサイドフィン３ａに張り付いた氷５ａはサイドフィンに付着できなくなって重力により崩れ落ちる。
【０００４】
（２）複数の下フィン４ａが下方に延びるため、除霜により複数の下フィン４ａに張り付いた氷５ａは二つのサイドフィン３ａに張り付いた氷５ａと同じ原因で崩れ落ちる。
【０００５】
（３）上方に延びる上フィン２では、除霜により上フィン２ａに張り付いた氷５ａの内部がサイドフィン３ａと下フィン４ａとに張り付いた氷５ａと同じ速度で溶解するが、上フィン２ａの末端が氷５ａを内側から支えることになるため、図４に示すように、上フィン２ａに張り付いた氷５ａの崩れ速度はサイドフィン３ａと下フィン４ａに張り付いた氷５ａの崩れ速度よりも遅くなる。これにより、全ての氷を溶かすための除霜作業の時間が長くなり、電気的エネルギーが無駄に浪費する。
【先行技術文献】
【特許文献】
【０００６】
【特許文献１】台湾特許Ｍ３３３５４７号公報
【考案の概要】
【考案が解決しようとする課題】
【０００７】
本考案の主な目的は、熱交換の効率を増大し、除霜作業の時間を短縮でき、電気的エネルギーを節約できる冷媒管を提供することにある。
【課題を解決するための手段】
【０００８】
本考案によれば、断面形状が円形を呈する管路と、上フィンと、二つのサイドフィンと、複数の下フィンが金属材料により一体成形され、前記管路は冷媒の通路であり、前記上フィン、前記二つのサイドフィンと前記複数の下フィンは間隔をあけて前記管路の周面に設けられ、前記上フィンは、前記管路の仮想垂直軸線の線上に設けられ、前記二つのサイドフィンと前記複数の下フィンとの上端側に位置して上方に延び、前記サイドフィンは、前記管路の壁面に接して設けられ、前記上フィンを挟むように設けられ、下方に傾斜しており、前記下フィンは、前記管路の壁面に接して設けられ、下方に延びる冷媒管において、前記上フィンと前記二つのサイドフィンと前記複数の下フィンとの末端は仮想円形の円周上に並んで位置し、前記仮想円形の中心は、前記管路の仮想垂直軸線上でかつ前記管路の中心の下方に位置し、前記管路の壁面から前記上フィンの末端までの前記上フィンの長さは、前記管路の壁面から前記サイドフィンの末端までの前記サイドフィンの長さ、又は前記管路の壁面から前記下フィンの末端までの前記下フィンの長さよりも短いことを特徴とする冷媒管が提供される。
【０００９】
本考案によれば、前記金属材料はアルミニウムであることを特徴とする上記冷媒管が提供される。
【考案の効果】
【００１０】
本考案の冷媒管によれば、熱交換の効率を増加でき、除霜作業の時間を短縮でき、電気的エネルギーを節約できるという効果を有する。
【図面の簡単な説明】
【００１１】
【図１】本考案の一実施例を示す断面図である。
【図２】本考案の冷媒管が除霜している状態を示す断面図である。
【図３】従来の冷媒管に氷が張っている状態を示す断面図である。
【図４】従来の冷媒管が除霜している状態を示す断面図である。
【考案を実施するための形態】
【００１２】
以下、本考案の実施の形態を図面に基づいて説明する。
まず、図１を参照する。本考案の一実施例の冷媒管は、断面形状が円形を呈する管路１と、上フィン２と、二つのサイドフィン３と、複数の下フィン４が金属材料（例えばアルミニウムなど）により一体成形される。管路１は冷媒の通路である。上フィン２、二つのサイドフィン３と複数の下フィン４は間隔をあけて管路１の周面に放射状に設けられている。上フィン２は、管路１の仮想垂直軸線Ｙの線上に設けられ、二つのサイドフィン３と複数の下フィン４の上端側に位置し、上方に延びている。サイドフィン３は、管路１の壁面に接して設けられ、上フィン２を挟むように設けられ、下方に傾斜している。下フィン４は、管路１の壁面に接して設けられ、下方に延びている。上フィン２と二つのサイドフィン３と複数の下フィン４の末端は仮想円形５の円周上に並んで位置している。仮想円形５の中心５１は、管路１の仮想垂直軸線Ｙ上に位置し、管路１の中心１１の下方に位置する。これにより、管路１の壁面から上フィン２の末端までの上フィン２の長さは、管路１の壁面からサイドフィン３の末端までのサイドフィン３の長さ、又は管路１の壁面から下フィン４の末端までの下フィン４の長さよりも短い。
【００１３】
次に、図２を参照しながら本考案の冷媒管の効果を説明する。二つのサイドフィン３が下方に傾斜しているため、二つのサイドフィン３に張り付いた氷６は、除霜によりその内部が溶解して、重力によって崩れ落ちる。複数の下フィン４が下方に延びているため、複数の下フィン４に張り付いた氷６は、除霜により二つのサイドフィン３に張り付いた氷６と同じ原因で崩れ落ちる。また、上フィン２の長さはサイドフィン３の長さ、又は下フィン４の長さよりも短いため、上フィン２の表面の除霜速度はサイドフィン３と下フィン４との除霜速度よりも速い。これにより、上フィン２の末端に張り付いた氷６は、その上部の中央から亀裂しやすく、二つのサイドフィン３に張り付いた氷６と同じ原因で早期に崩れ落ちる。そのため、除霜作業の時間を短縮でき、電気的エネルギーを節約できる。また、管路１の壁面から下フィン４の末端までの下フィン４の長さが従来のものよりも長いため、下フィン４の熱交換の効率は減少しない。
【００１４】
このように、本考案につき、特定の実施例を参照して説明したが、それらの実施例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【符号の説明】
【００１５】
１：管路
２：上フィン
３：サイドフィン
４：下フィン
５：仮想円形
６：氷
１１：管路の中心
５１：仮想円形の中心
【産業上の利用可能性】
【００１６】
本考案は、冷媒管に適用することができる。
【図１】
0003170260.tif 000003
【図２】
0003170260.tif 000004
【図３】
0003170260.tif 000005
【図４】
0003170260.tif 000006